(57)【特許請求の範囲】
【請求項１】
ワイヤレス通信のための装置において、
ワイヤレスノードが第１の好ましいビームパターンを決定することを可能にする、前記ワイヤレスノードへの送信用の第１の信号を発生させることと、
前記ワイヤレスノードから受信した第２の信号から、第２の好ましいビームパターンを決定することとを含むトレーニングを実行するようにと、
前記第１の好ましいビームパターンまたは前記第２の好ましいビームパターンのうちの少なくとも１つを通して、前記ワイヤレスノードと通信するように構成されている処理システムを具備し、
前記トレーニングは、前記装置とのトレーニングを実行していない別のワイヤレスノードによって割り当てられたサービス期間の間に実行される装置。
【請求項２】
前記第１の好ましいビームパターンは、前記装置によってサポートされている好ましい送信ビームパターンと、前記ワイヤレスノードによってサポートされている好ましい受信ビームパターンとを含み、
前記第２の好ましいビームパターンは、前記ワイヤレスノードによってサポートされている好ましい送信ビームパターンと、前記装置によってサポートされている好ましい受信ビームパターンとを含む請求項１記載の装置。
【請求項３】
前記処理システムは、前記ワイヤレスノードから、前記第１の好ましいビームパターンに対応する第３の信号を受信するようにさらに構成されている請求項２記載の装置。
【請求項４】
前記処理システムは、前記ワイヤレスノードによって異なる送信ビームパターンを通してシーケンシャルに送信された、前記第３の信号を、前記装置によってサポートされている前記好ましい受信ビームパターンを通して受信するようにさらに構成されている請求項３記載の装置。
【請求項５】
前記処理システムは、前記ワイヤレスノードによって前記好ましい送信ビームパターンを通して送信された、前記第３の信号を、前記装置によってサポートされている前記好ましい受信ビームパターンを通して受信するようにさらに構成されている請求項３記載の装置。
【請求項６】
前記第１の信号および前記第２の信号のそれぞれは、同じトレーニングシーケンスを含み、前記処理システムは、前記トレーニングシーケンスにより前記第３の信号をデコードするようにさらに構成されている請求項３記載の装置。
【請求項７】
前記処理システムは、前記ワイヤレスノードへの送信用の、前記第２の好ましいビームパターンに対応する第３の信号を発生させるようにさらに構成されている請求項２記載の装置。
【請求項８】
前記処理システムは、前記好ましい受信ビームパターンを通しての前記ワイヤレスノードによる受信のために、異なる送信ビームパターンを通しての前記第３の信号のシーケンシャルな送信をサポートするようにさらに構成されている請求項７記載の装置。
【請求項９】
前記処理システムは、前記ワイヤレスノードによってサポートされている前記好ましい受信ビームパターンを通しての前記ワイヤレスノードによる受信のために、前記装置によってサポートされている前記好ましい送信ビームパターンを通しての前記第３の信号の送信をサポートするようにさらに構成されている請求項７記載の装置。
【請求項１０】
前記第１の信号および前記第２の信号のそれぞれは、同じトレーニングシーケンスを含み、前記処理システムは、前記トレーニングシーケンスにより、前記第２の好ましいビームパターンに対応しているシーケンスをエンコードすることによって、前記第３の信号を発生させるようにさらに構成されている請求項７記載の装置。
【請求項１１】
前記処理システムは、異なる送信ビームパターンのそれぞれを通して１回以上、前記異なる送信ビームパターンを通しての前記第１の信号のシーケンシャルな送信をサポートするように構成されている請求項１記載の装置。
【請求項１２】
前記処理システムは、
ＡT個の異なる送信ビームパターンをサポートするようにと、
前記ＡT個の異なる送信ビームパターンのそれぞれを通してＮR回、前記ＡT個の異なる送信ビームパターンを通しての前記第１の信号のシーケンシャルな送信をサポートするようにさらに構成され、
ＮRは、前記ワイヤレスノードによってサポートされている異なる受信ビームパターンの数である請求項１記載の装置。
【請求項１３】
前記処理システムは、
ＡR個の異なる受信ビームパターンをサポートするようにと、
前記ＡR個の異なる受信ビームパターンのそれぞれを通してＮT回、前記ＡR個の異なる受信ビームパターンを通して前記第２の信号をシーケンシャルに受信するようにさらに構成され、
ＮTは、前記ワイヤレスノードによってサポートされている異なる送信ビームパターンの数である請求項１記載の装置。
【請求項１４】
前記処理システムは、１つ以上の他のペアのワイヤレスノードがトレーニングを実行するのと同時に、前記ワイヤレスノードと前記トレーニングを実行するようにさらに構成されている請求項１記載の装置。
【請求項１５】
前記トレーニングは、１組のコードシーケンスから選択されたコードシーケンスを使用して実行され、前記１組のコードシーケンスはまた、トレーニングを実行する前記１つ以上の他のペアによって使用される請求項１４記載の装置。
【請求項１６】
前記コードシーケンスは、ウォルシュシーケンスまたはゴレイシーケンスを含む請求項１５記載の装置。
【請求項１７】
前記トレーニングは、前記別のワイヤレスノードによって割り当てられたコードシーケンスを使用して実行され、前記コードシーケンスは、トレーニングを実行する前記１つ以上の他のペアによって使用されない請求項１４記載の装置。
【請求項１８】
前記コードシーケンスは、ウォルシュシーケンスまたはゴレイシーケンスを含む請求項１７記載の装置。
【請求項１９】
前記処理システムは、時間、周波数、またはコードの次元のうちの少なくとも１つにわたって、前記トレーニングを実行するようにさらに構成されている請求項１記載の装置。
【請求項２０】
前記第１の信号はウォルシュシーケンスまたはゴレイシーケンスを含み、前記第２の信号はウォルシュシーケンスまたはゴレイシーケンスを含む請求項１記載の装置。
【請求項２１】
ワイヤレス通信のための方法において、
ワイヤレスノードが第１の好ましいビームパターンを決定することを可能にする、前記ワイヤレスノードへの送信用の第１の信号を、装置において発生させることと、
前記ワイヤレスノードから受信した第２の信号から、第２の好ましいビームパターンを決定することとを含むトレーニングを実行することと、
前記第１の好ましいビームパターンまたは前記第２の好ましいビームパターンのうちの少なくとも１つを通して、前記ワイヤレスノードと通信することとを含み、
前記トレーニングは、前記装置とのトレーニングを実行していない別のワイヤレスノードによって割り当てられたサービス期間の間に実行される方法。
【請求項２２】
前記第１の好ましいビームパターンは、前記装置によってサポートされている好ましい送信ビームパターンと、前記ワイヤレスノードによってサポートされている好ましい受信ビームパターンとを含み、
前記第２の好ましいビームパターンは、前記ワイヤレスノードによってサポートされている好ましい送信ビームパターンと、前記装置によってサポートされている好ましい受信ビームパターンとを含む請求項２１記載の方法。
【請求項２３】
前記ワイヤレスノードから、前記第１の好ましいビームパターンに対応する第３の信号を受信することをさらに含む請求項２２記載の方法。
【請求項２４】
前記ワイヤレスノードによって異なる送信ビームパターンを通してシーケンシャルに送信された、前記第３の信号を受信することは、前記装置によってサポートされている前記好ましい受信ビームパターンを通してのものである請求項２３記載の方法。
【請求項２５】
前記ワイヤレスノードによって前記好ましい送信ビームパターンを通して送信された、前記第３の信号を受信することは、前記装置によってサポートされている前記好ましい受信ビームパターンを通してのものである請求項２３記載の方法。
【請求項２６】
前記第１の信号および前記第２の信号のそれぞれは、同じトレーニングシーケンスを含み、前記方法は、前記トレーニングシーケンスにより前記第３の信号をデコードすることをさらに含む請求項２３記載の方法。
【請求項２７】
前記ワイヤレスノードへの送信用の、前記第２の好ましいビームパターンに対応する第３の信号を発生させることをさらに含む請求項２２記載の方法。
【請求項２８】
前記好ましい受信ビームパターンを通しての前記ワイヤレスノードによる受信のために、異なる送信ビームパターンを通しての前記第３の信号のシーケンシャルな送信をサポートすることをさらに含む請求項２７記載の方法。
【請求項２９】
前記ワイヤレスノードによってサポートされている前記好ましい受信ビームパターンを通しての前記ワイヤレスノードによる受信のために、前記装置によってサポートされている前記好ましい送信ビームパターンを通しての前記第３の信号の送信をサポートすることをさらに含む請求項２７記載の方法。
【請求項３０】
前記第１の信号および前記第２の信号のそれぞれは、同じトレーニングシーケンスを含み、前記第３の信号は、前記トレーニングシーケンスにより、前記第２の好ましいビームパターンに対応しているシーケンスをエンコードすることによって発生される請求項２７記載の方法。
【請求項３１】
異なる送信ビームパターンのそれぞれを通して１回以上、前記異なる送信ビームパターンを通しての前記第１の信号のシーケンシャルな送信をサポートすることをさらに含む請求項２１記載の方法。
【請求項３２】
ＡT個の異なる送信ビームパターンをサポートすることと、
前記ＡT個の異なる送信ビームパターンのそれぞれを通してＮR回、前記ＡT個の異なる送信ビームパターンを通しての前記第１の信号のシーケンシャルな送信をサポートすることとをさらに含み、
ＮRは、前記ワイヤレスノードによってサポートされている異なる受信ビームパターンの数である請求項２１記載の方法。
【請求項３３】
ＡR個の異なる受信ビームパターンをサポートすることと、
前記ＡR個の異なる受信ビームパターンのそれぞれを通してＮT回、前記ＡR個の異なる受信ビームパターンを通して前記第２の信号をシーケンシャルに受信することとをさらに含み、
ＮTは、前記ワイヤレスノードによってサポートされている異なる送信ビームパターンの数である請求項２１記載の方法。
【請求項３４】
前記トレーニングは、１つ以上の他のペアのワイヤレスノードがトレーニングを実行するのと同時に実行される請求項２１記載の方法。
【請求項３５】
前記トレーニングは、１組のコードシーケンスから選択されたコードシーケンスを使用して実行され、前記１組のコードシーケンスはまた、トレーニングを実行する前記１つ以上の他のペアによって使用される請求項３４記載の方法。
【請求項３６】
前記コードシーケンスは、ウォルシュシーケンスまたはゴレイシーケンスを含む請求項３５記載の方法。
【請求項３７】
前記トレーニングは、前記別のワイヤレスノードによって割り当てられたコードシーケンスを使用して実行され、前記コードシーケンスは、トレーニングを実行する前記１つ以上の他のペアによって使用されない請求項３４記載の方法。
【請求項３８】
前記コードシーケンスは、ウォルシュシーケンスまたはゴレイシーケンスを含む請求項３７記載の方法。
【請求項３９】
前記トレーニングは、時間、周波数、またはコードの次元のうちの少なくとも１つにわたって実行される請求項２１記載の方法。
【請求項４０】
前記第１の信号はウォルシュシーケンスまたはゴレイシーケンスを含み、前記第２の信号はウォルシュシーケンスまたはゴレイシーケンスを含む請求項２１記載の方法。
【請求項４１】
ワイヤレス通信のための装置において、
ワイヤレスノードが第１の好ましいビームパターンを決定することを可能にする、前記ワイヤレスノードへの送信用の第１の信号を発生させる手段と、
前記ワイヤレスノードから受信した第２の信号から、第２の好ましいビームパターンを決定する手段とを備えたトレーニングを実行する手段と、
前記第１の好ましいビームパターンまたは前記第２の好ましいビームパターンのうちの少なくとも１つを通して、前記ワイヤレスノードと通信する手段とを具備し、
前記トレーニングは、前記装置とのトレーニングを実行していない別のワイヤレスノードによって割り当てられたサービス期間の間に実行される装置。
【請求項４２】
前記第１の好ましいビームパターンは、前記装置によってサポートされている好ましい送信ビームパターンと、前記ワイヤレスノードによってサポートされている好ましい受信ビームパターンとを含み、
前記第２の好ましいビームパターンは、前記ワイヤレスノードによってサポートされている好ましい送信ビームパターンと、前記装置によってサポートされている好ましい受信ビームパターンとを含む請求項４１記載の装置。
【請求項４３】
前記ワイヤレスノードから、前記第１の好ましいビームパターンに対応する第３の信号を受信する手段をさらに具備する請求項４２記載の装置。
【請求項４４】
前記受信する手段は、前記ワイヤレスノードによって異なる送信ビームパターンを通してシーケンシャルに送信された、前記第３の信号を、前記装置によってサポートされている前記好ましい受信ビームパターンを通して受信する請求項４３記載の装置。
【請求項４５】
前記受信する手段は、前記ワイヤレスノードによって前記好ましい送信ビームパターンを通して送信された、前記第３の信号を、前記装置によってサポートされている前記好ましい受信ビームパターンを通して受信する請求項４３記載の装置。
【請求項４６】
前記第１の信号および前記第２の信号のそれぞれは、同じトレーニングシーケンスを含み、前記装置は、前記トレーニングシーケンスにより前記第３の信号をデコードする手段をさらに具備する請求項４３記載の装置。
【請求項４７】
前記ワイヤレスノードへの送信用の、前記第２の好ましいビームパターンに対応する第３の信号を発生させる手段をさらに具備する請求項４２記載の装置。
【請求項４８】
前記好ましい受信ビームパターンを通しての前記ワイヤレスノードによる受信のために、異なる送信ビームパターンを通しての前記第３の信号のシーケンシャルな送信をサポートする手段をさらに具備する請求項４７記載の装置。
【請求項４９】
前記ワイヤレスノードによってサポートされている前記好ましい受信ビームパターンを通しての前記ワイヤレスノードによる受信のために、前記装置によってサポートされている前記好ましい送信ビームパターンを通しての前記第３の信号の送信をサポートする手段をさらに具備する請求項４７記載の装置。
【請求項５０】
前記第１の信号および前記第２の信号のそれぞれは、同じトレーニングシーケンスを含み、前記第３の信号は、前記トレーニングシーケンスにより、前記第２の好ましいビームパターンに対応しているシーケンスをエンコードすることによって発生される請求項４７記載の装置。
【請求項５１】
異なる送信ビームパターンのそれぞれを通して１回以上、前記異なる送信ビームパターンを通しての前記第１の信号のシーケンシャルな送信をサポートする手段をさらに具備する請求項４１記載の装置。
【請求項５２】
ＡT個の異なる送信ビームパターンをサポートする手段と、
前記ＡT個の異なる送信ビームパターンのそれぞれを通してＮR回、前記ＡT個の異なる送信ビームパターンを通しての前記第１の信号のシーケンシャルな送信をサポートする手段とをさらに具備し、
ＮRは、前記ワイヤレスノードによってサポートされている異なる受信ビームパターンの数である請求項４１記載の装置。
【請求項５３】
ＡR個の異なる受信ビームパターンをサポートする手段と、
前記ＡR個の異なる受信ビームパターンのそれぞれを通してＮT回、前記ＡR個の異なる受信ビームパターンを通して前記第２の信号をシーケンシャルに受信する手段とをさらに具備し、
ＮTは、前記ワイヤレスノードによってサポートされている異なる送信ビームパターンの数である請求項４１記載の装置。
【請求項５４】
前記トレーニングは、１つ以上の他のペアのワイヤレスノードがトレーニングを実行するのと同時に実行される請求項４１記載の装置。
【請求項５５】
前記トレーニングは、１組のコードシーケンスから選択されたコードシーケンスを使用して実行され、前記１組のコードシーケンスはまた、トレーニングを実行する前記１つ以上の他のペアによって使用される請求項５４記載の装置。
【請求項５６】
前記コードシーケンスは、ウォルシュシーケンスまたはゴレイシーケンスを含む請求項５５記載の装置。
【請求項５７】
前記トレーニングは、前記別のワイヤレスノードによって割り当てられたコードシーケンスを使用して実行され、前記コードシーケンスは、トレーニングを実行する前記１つ以上の他のペアによって使用されない請求項５４記載の装置。
【請求項５８】
前記コードシーケンスは、ウォルシュシーケンスまたはゴレイシーケンスを含む請求項５７記載の装置。
【請求項５９】
前記トレーニングは、時間、周波数、またはコードの次元のうちの少なくとも１つにわたって実行される請求項４１記載の装置。
【請求項６０】
前記第１の信号はウォルシュシーケンスまたはゴレイシーケンスを含み、前記第２の信号はウォルシュシーケンスまたはゴレイシーケンスを含む請求項４１記載の装置。
【請求項６１】
通信のためのコンピュータ読み取り可能記憶デバイスにおいて、
ワイヤレスノードが第１の好ましいビームパターンを決定することを可能にする、前記ワイヤレスノードへの送信用の第１の信号を、装置において発生させることと、
前記ワイヤレスノードから受信した第２の信号から、第２の好ましいビームパターンを決定することとを含むトレーニングを実行するための実行可能な命令と、
前記第１の好ましいビームパターンまたは前記第２の好ましいビームパターンのうちの少なくとも１つを通して、前記ワイヤレスノードと通信するための実行可能な命令とによりエンコードされ、
前記トレーニングは、前記装置とのトレーニングを実行していない別のワイヤレスノードによって割り当てられたサービス期間の間に実行されるコンピュータ読み取り可能記憶デバイス。
【請求項６２】
ワイヤレス通信のための局において、
ワイヤレスノードが第１の好ましいビームパターンを決定することを可能にする、前記ワイヤレスノードへの送信用の第１の信号を発生させることと、
前記ワイヤレスノードから受信した第２の信号から、第２の好ましいビームパターンを決定することとを含むトレーニングを実行するようにと、
前記第１の好ましいビームパターンまたは前記第２の好ましいビームパターンのうちの少なくとも１つを通して、前記ワイヤレスノードと通信するように構成されている処理システムと、
前記第１の好ましいビームパターンと前記第２の好ましいビームパターンとをサポートするように構成されている１つ以上のアンテナを有するワイヤレスインターフェースとを具備し、
前記トレーニングは、前記局とのトレーニングを実行していない別のワイヤレスノードによって割り当てられたサービス期間の間に実行される局。
【発明の詳細な説明】
【関連出願に対する相互参照】
【０００１】
本願は、２００９年９月１１日に出願された米国特許出願シリアル番号第１２／５５８，１４１の一部継続である。３５ Ｕ．Ｓ．Ｃ．１１９条にしたがって、本願は、２００９年７月１０日に出願された、米国仮出願シリアル番号第６１／２２４，８１６号の利益を主張する。
【背景】
【０００２】
分野
以下の記述は、一般的に、通信システムに関し、さらに詳細には、多重ピアツーピアシグナリングに関する。
【０００３】
背景
ワイヤレス通信システムに対して求められている増加する帯域幅要件の問題を取り扱うために、高データスループットを達成しつつ、チャネルリソースを共有することによって、複数のワイヤレスノードが通信することを可能にする異なる技術が開発されている。これらの技術は、電気電子技術者協会（ＩＥＥＥ）８０２．１１標準規格のような、いくつかの新興のワイヤレス通信標準規格に採用されている。ＩＥＥＥ８０２．１１は、（例えば、数十メートルから二、三百メートルまでの）短距離通信用の、ＩＥＥＥ８０２．１１委員会によって開発された１組のワイヤレスローカルエリアネットワーク（ＷＬＡＮ）エアインターフェース標準規格を示している。１つの例は、６０Ｇｈｚ．の動作をサポートするためのＩＥＥＥ８０２．１ｌａｄを含み、この６０Ｇｈｚの動作は、時には、「極度に高いスループット」と呼ばれる。
【０００４】
高スループットシステムのための、さまざまなプロトコルが存在する。１つの例は、ワイヤレスパーソナルエリアネットワーク（ＰＡＮ）向けの、ＩＥＥＥ８０２．１５．３ｃ ＭＡＣプロトコルである。８０２．１５．３ｃ ＭＡＣプロトコルは、データ通信より前に、互いに関してトレーニングするために、通信システム中のそれぞれのペアのワイヤレスノードに対して専用時間間隔を提供する。しかしながら、ピアツーピア通信の数が増えるにつれて、このメカニズムは、増加したトレーニングオーバーヘッドに苦しむ。ＩＥＥＥ８０２．１ｌａｄシステムや、これに類するもののような高スループットシステムに対するピアツーピアトレーニングのオーバーヘッドを減少させる必要がある。
【概要】
【０００５】
開示の態様では、ワイヤレス通信のための装置は、処理システムを備える。処理システムは、ワイヤレスノードが第１の好ましいビームパターンを決定することを可能にする、ワイヤレスノードへの送信用の第１の信号を発生させるようにと、ワイヤレスノードから受信した第２の信号から、第２の好ましいビームパターンを決定するようにと、第１の好ましいビームパターンまたは第２の好ましいビームパターンのうちの少なくとも１つを通して、ワイヤレスノードと通信するように構成されている。
【０００６】
開示の態様では、ワイヤレス通信のための方法は、ワイヤレスノードが第１の好ましいビームパターンを決定することを可能にする、ワイヤレスノードへの送信用の第１の信号を発生させることと、ワイヤレスノードから受信した第２の信号から、第２の好ましいビームパターンを決定することと、第１の好ましいビームパターンまたは第２の好ましいビームパターンのうちの少なくとも１つを通して、ワイヤレスノードと通信することとを含む。
【０００７】
開示の態様では、ワイヤレス通信のための装置は、ワイヤレスノードが第１の好ましいビームパターンを決定することを可能にする、ワイヤレスノードへの送信用の第１の信号を発生させる手段と、ワイヤレスノードから受信した第２の信号から、第２の好ましいビームパターンを決定する手段と、第１の好ましいビームパターンまたは第２の好ましいビームパターンのうちの少なくとも１つを通して、ワイヤレスノードと通信する手段とを備える。
【０００８】
開示の態様では、通信のためのコンピュータプログラムプロダクトは、ワイヤレスノードが第１の好ましいビームパターンを決定することを可能にする、ワイヤレスノードへの送信用の第１の信号を発生させるための実行可能な命令と、ワイヤレスノードから受信した第２の信号から、第２の好ましいビームパターンを決定するための実行可能な命令と、第１の好ましいビームパターンまたは第２の好ましいビームパターンのうちの少なくとも１つを通して、ワイヤレスノードと通信するための実行可能な命令とを含む機械読み取り可能媒体を含む。
【０００９】
開示の態様では、ワイヤレス通信のための局は、処理システムと、ワイヤレスインターフェースとを備える。処理システムは、ワイヤレスノードが第１の好ましいビームパターンを決定することを可能にする、ワイヤレスノードへの送信用の第１の信号を発生させるようにと、ワイヤレスノードから受信した第２の信号から、第２の好ましいビームパターンを決定するようにと、第１の好ましいビームパターンまたは第２の好ましいビームパターンのうちの少なくとも１つを通して、ワイヤレスノードと通信するように構成されている。ワイヤレスインターフェースは、第１の好ましいビームパターンと第２の好ましいビームパターンとをサポートするように構成されている１つ以上のアンテナを有する。
【図面の簡単な説明】
【００１０】
【図１】図１は、例示的な装置用のハードウェア構成を図示している概念ブロック図である。
【図２】図２は、ピアツーピアトレーニングのためのタイムラインの例を図示しているフロー図である。
【図３】図３は、例示的な装置の機能性を図示している概念ブロック図である。
【詳細な説明】
【００１１】
以下で、添付図面を参照して、新規なシステム、装置、および方法のさまざまな態様をより完全に記述する。しかしながら、教示している開示は、多くの異なる形態で具現化してもよく、本開示全体を通して提示した任意の特定の構成または機能に限定されるものとして解釈すべきではない。むしろ、本開示が十分で完全となり、開示の範囲を当業者に完全に伝えるように、これらの態様を提供している。発明の他の何らかの態様とは無関係に実現しようとなかろうと、または、発明の他の何らかの態様と組み合わせて実現しようとしなかろうと、開示の範囲が、ここで開示した、新規なシステム、装置、および方法の任意の態様をカバーすることを意図していることを、ここでの教示に基づいて当業者は正しく認識すべきである。例えば、ここで述べた任意の数の態様を使用して、装置を実現してもよく、または、方法を実施してもよい。加えて、ここで述べた発明のさまざまな態様に加えた、または、ここで述べた発明のさまざまな態様以外の、他の構成、機能性、または、構成および機能性を使用して実施するこのような装置または方法をカバーすることを、発明の範囲は意図している。ここで開示した任意の態様は、請求項の１つ以上の要素によって具現化してもよいことを理解すべきである。
【００１２】
ワイヤレス通信システムのいくつかの態様をこれから提示する。ワイヤレス通信システムは、任意の数の装置をサポートしてもよい。この例では、それぞれの装置はワイヤレスノードとして実現する。ワイヤレスノードは、局（ＳＴＡ）、または他の適したノードであってもよい。
【００１３】
ワイヤレス通信システムは、直交周波数分割多重化（ＯＦＤＭ）のような任意の適したワイヤレス技術をサポートする複数入力複数出力（ＭＩＭＯ）技術を用いて、複数のＳＴＡをサポートするように構成してもよい。ＯＦＤＭシステムは、ＩＥＥＥ８０２．１１または他の何らかのエアインターフェース標準規格を実現してもよい。他の適したワイヤレス技術は、例として、コード分割多元接続（ＣＤＭＡ）、時分割多元接続（ＴＤＭＡ）、または他の何らかの適したワイヤレス技術、または適したワイヤレス技術の任意のものを組み合わせたものを含む。ＣＤＭＡシステムは、ＩＳ−２０００、ＩＳ−９５、ＩＳ−８５６、ワイドバンド−ＣＤＭＡ（ＷＣＤＭＡ）、または他の何らかの適したエアインターフェース標準規格を実現してもよい。ＴＤＭＡシステムは、グローバルシステムフォーモバイル通信（ＧＳＭ）（登録商標）または他の何らかの適したエアインターフェース標準規格を実現してもよい。当業者が容易に正しく認識するように、本開示のさまざまな態様は、任意の特定のワイヤレス技術および／またはエアインターフェース標準規格に限定されない。本開示全体を通して提示したさまざまな概念はまた、ウルトラワイドバンド（ＵＷＢ）のような短距離無線技術、または、ブルートゥース（登録商標）のような他の何らかの短距離エアインターフェース標準規格に拡張してもよい。任意の特定の通信システムに用いる実際のワイヤレス技術およびエアインターフェース標準規格は、システムに課せられている、特定のアプリケーションおよび設計制約全体に依存するだろう。本開示全体を通して提示したさまざまな概念は、他のワイヤレス技術および／またはエアインターフェース標準規格を用いるワイヤレス通信システムに等しく適用可能である。
【００１４】
ワイヤレス通信システムは、地理領域全体に分散されている任意の数のＡＰをサポートしてもよい。固定または移動体であり得るＳＴＡは、他のＳＴＡとのピアツーピア通信に携わる。ＳＴＡの例は、移動体電話機、ラップトップコンピュータ、パーソナルデジタルアシスタント（ＰＤＡ）、移動体デジタルオーディオプレイヤー、移動体ゲームコンソール、デジタルカメラ、デジタルカムコーダ、移動体オーディオデバイス、移動体ビデオデバイス、移動体マルチメディアデバイス、またはワイヤレス通信をサポートすることができる他の何らかの適したデバイスを含む。ＳＴＡは、より大きいネットワーク（例えば、インターネット）へのアクセスを得るために、アクセスポイント（ＡＰ）のバックホールサービスを利用してもよい。
【００１５】
当業者によって、ＳＴＡは、異なる術語で言及されることがある。例として、ＳＴＡは、ユーザ端末、移動局、加入者局、ワイヤレスデバイス、端末、アクセス端末、ノードと呼ばれることがあり、または、他の何らかの適した専門用語で呼ばれることがある。本開示全体を通して記述したさまざまな概念は、これらの特定の術語にもかかわらず、すべての適した装置に適用することを意図している。
【００１６】
これから、図１を参照して装置のさまざまな態様を提示する。図１は、装置用のハードウェア構成を図示している概念ブロック図である。装置１００は、ワイヤレスインターフェース１０２と処理システム１０４とを備えていてもよい。
【００１７】
ワイヤレスインターフェース１０２は、ワイヤレス媒体を通しての二方向通信をサポートするために、送信機および受信機の機能を有するトランシーバを備えていてもよい。代替的に、ワイヤレスインターフェース１０２は、一方向通信をサポートするために、送信機または受信機として構成してもよい。後続する詳細な説明では、ワイヤレスインターフェースは、発明の特定の態様を図示するために、送信機または受信機として記述してもよい。このような参照は、ワイヤレスインターフェースが、送信動作および受信動作の両方を実行できないことを暗に示していない。
【００１８】
ワイヤレスインターフェース１０２は、異なるエアインターフェースプロトコルをサポートしてもよい。例によると、ワイヤレスインターフェース１０２は、ＩＥＥＥ８０２．１ｌａｄ（極度に高いスループット）を、または、他の何らかの適したエアインターフェースプロトコルをサポートするために、６０ＧＨｚのＨＦ無線機を含んでいてもよい。ワイヤレスインターフェース１０２はまた、ワイヤレス信号を変調し、他の無線周波数（ＲＦ）フロントエンド処理を実行することによって、物理レイヤを実現するように構成してもよい。代替的に、物理レイヤ処理機能は、処理システム１０４によって実行してもよい。
【００１９】
ワイヤレスインターフェース１０２を、別個のエンティティとして示している。しかしながら、当業者は容易に正しく認識するように、ワイヤレスインターフェース１０２を、または、これらの任意の部分を、処理システム１０４の中に組み込んでもよく、または、装置１００内の複数のエンティティにわたって分散させてもよい。
【００２０】
処理システム１０４は、１つ以上のプロセッサで実現してもよい。１つ以上のプロセッサは、汎用マイクロプロセッサ、マイクロ制御装置、デジタルシグナルプロセッサ（ＤＳＰ）、フィールドプログラマブルゲートアレイ（ＦＰＧＡ）、プログラマブルロジックデバイス（ＰＬＤ）、制御装置、状態機械、ゲート論理、ディスクリートハードウェアコンポーネント、あるいは、情報の計算または情報の他の操作を実行することができる他の何らかの適したエンティティのうちの任意のものを組み合わせたもので実現してもよい。
【００２１】
処理システム１０４はまた、ソフトウェアを記憶するための機械読み取り可能媒体を含んでいてもよい。ソフトウェア、ファームウェア、ミドルウェア、マイクロコード、ハードウェア記述言語と呼ばれようと呼ばれなかろうと、またはその他のもので呼ばれようと呼ばれなかろうと、ソフトウェアは、任意のタイプの命令を意味すると広く解釈すべきである。命令は、（例えば、ソースコードフォーマット、バイナリコードフォーマット、実行可能なコードフォーマット、または他の何らかの適した、コードのフォーマット）のコードを含んでいてもよい。命令は、１つ以上のプロセッサによって実行されるときに、以下で記述したさまざまな機能とともに、他のプロトコル処理機能（例えば、データリンクレイヤ処理）を処理システム１０２に実行させる。
【００２２】
機械読み取り可能媒体は、プロセッサのうちの１つ以上のものの中に組み込まれている記憶装置を備えてもよい。機械読み取り可能媒体はまた、ランダムアクセスメモリ（ＲＡＭ）、フラッシュメモリ、リードオンリーメモリ（ＲＯＭ）、プログラマブルリードオンリーメモリ（ＰＲＯＭ）、消去可能なＰＲＯＭ（ＥＰＲＯＭ）、レジスタ、ハードディスク、リムーバルディスク、ＣＤ−ＲＯＭ、ＤＶＤ、または他の何らかの適した記憶デバイスのような、１つ以上のプロセッサの外部の記憶装置を含んでいてもよい。加えて、機械読み取り可能媒体は、伝送回線、または、データ信号をエンコードする搬送波を含んでいてもよい。処理システムの記述した機能性をどのように実現するのが最良であるかを、当業者は認識するだろう。
【００２３】
ワイヤレス通信システム中で動作する複数の装置の例をこれから提示する。１つの例では、ピアツーピアトレーニングのための専用時間間隔中に、複数のペアのＳＴＡが同時に互いにトレーニングすることを可能にするために、ワイヤレス通信システムは、ＣＤＭＡ送信を使用する。このようなスキームは、６０ＧＨｚシステム中での制御オーバーヘッドを大幅に減少させ、ＭＡＣ効率を向上させる。
【００２４】
図２は、複数のＳＴＡに対するピアツーピアトレーニングのためのタイムラインの例を図示しているフロー図である。それぞれのＳＴＡは、処理システム１０４とワイヤレスインターフェース１０２とを備えている。ＡＰが、ピアツーピアトレーニングのための専用時間間隔を予約する。ＡＰは、ユニキャストＤＬ制御フレームメッセージを使用して、それぞれのＳＴＡにtrainingSequenceIDを送る。trainingSequenceIDを使用して、複数のペアのＳＴＡが、ピアツーピアトレーニングを同時に実行してもよい。ＳＴＡのペア、ＳＴＡ−１およびＳＴＡ−２は、以下のように、ピアツーピアトレーニングを実行する。
【００２５】
最初に、ＳＴＡ−１が、それぞれの送信ビームパターンに対してＮR回、ＳＴＡ−２によってサポートされているＡT個の送信ビームパターン（例えば、方向）にわたって、長さＬのウォルシュシーケンスまたはゴレイシーケンス（trainingSequenceID）をシリアルに送信し、ここで、ＮRは、ＳＴＡ−２によってサポートされている受信ビームパターンの数である（ステップ２１０）。このような送信を、「ダブルライトハウス」送信と呼ぶ。ＡTおよびＮRがそれぞれ６４であり、１．７Ｇｐｓのシステムチップレートであり、０．６ｎｓのウォルシュ／ゴレイチップ持続時間であり、Ｌ＝６４であると仮定すると、総送信時間は、おおよそ１５７ｕｓ（０．６ｎｓ*６４*６４*６４）になるだろう。
【００２６】
別のワイヤレスノードによって割り当てられたサービス期間（すなわち、割振期間）の間に、トレーニングを実行してもよい。サービス／割振期間は、１つ以上のペアのワイヤレス端末がトレーニングを実行するために、別のワイヤレスノードによって割り当てられた専用時間期間である。１つの構成では、１組のコードシーケンスから選択されたコードシーケンスを使用して、トレーニングを実行する。この１組のコードシーケンスはまた、トレーニングを実行する１つ以上の他のペアによっても使用されている。すなわち、ＳＴＡ−１が、１組のコードシーケンスからコードシーケンスを選択する。コードシーケンスの組はまた、トレーニングを実行する他のペアによっても使用される。選択は、ランダムであってもよく、または、アルゴリズムを通して予め決定されていてもよい。別の構成では、トレーニングは、別のワイヤレスノード（例えば、ＡＰ）によって割り当てられたコードシーケンスを使用して実行される。このような構成では、このコードシーケンスは、トレーニングを実行する１つ以上の他のペアによって使用されていない。すなわち、ＳＴＡ−１によって送信されるコードシーケンスは、アクセスポイントのような別のワイヤレスノードによって選択され、そのコードシーケンスは、トレーニングを実行する他のペアによって使用されていない。上述したように、コードシーケンスは、ウォルシュシーケンスまたはゴレイシーケンスであってもよい。
【００２７】
６０ＧＨｚの短距離ＰＡＮタイプのネットワークでは、通常、ＡＰあたり多くて１６のアクティブ局があるに過ぎない。したがって、任意の所定のピアツーピアトレーニング時間において、せいぜい８ペアのＳＴＡしか、ピアツーピアトレーニングに携わらないだろう。
【００２８】
ＳＴＡ−２が、ＳＴＡ−１からシーケンスを受信し、trainingSequenceIDを使用し、受信波形のウォルシュ／ゴレイ相関を使用して、ＳＴＡ−１からＳＴＡ−２への通信用の好ましい（例えば、最良の）送信ビームパターンと受信ビームパターンとを推定する。したがって、ステップ２１０の後に、ＳＴＡ−２は、ＳＴＡ−１からＳＴＡ−２への通信用の好ましい送信ビームパターンと受信ビームパターンとを知る。
【００２９】
第２に、ＳＴＡ−２が、それぞれのビームパターンに対してＡR回、ＳＴＡ−２によってサポートされているＮT個の送信ビームパターンにわたって、（trainingSequenceIDによって指定された）ウォルシュシーケンスまたはゴレイシーケンスをシリアルに送信し（ダブルライトハウス）、ここで、ＡRは、ＳＴＡ−１によってサポートされている受信ビームパターンの数である（ステップ２２０）。ＮTおよびＡRがそれぞれ６４であり、１．７Ｇｐｓのシステムチップレートであり、０．６ｎｓのウォルシュ／ゴレイチップ持続時間であり、Ｌ＝６４であると仮定すると、総送信時間は、おおよそ１５７ｕｓ（０．６ｎｓ*６４*６４*６４）となるだろう。
【００３０】
ＳＴＡ−１が、ＳＴＡ−２からシーケンスを受信し、trainingSequenceIDを使用し、受信波形のウォルシュ／ゴレイ相関を使用し、ＳＴＳ−２からＳＴＡ−１への通信用の好ましい送信ビームパターンと受信ビームパターンとを推定する。したがって、ステップ２２０の後に、ＳＴＡ−１は、ＳＴＳ−２からＳＴＡ−１への通信用の好ましい送信ビームパターンと受信ビームパターンとを知る。
【００３１】
第３に、ＳＴＡ−２が、その後、６−ビットの送信ビームインデックスに対応しているシーケンスをＳＴＡ−１に送る（ステップ２３０）。インデックスは、ＳＴＡ−１からＳＴＡ−２への通信用の好ましい送信ビームパターン（すなわち、ＡT個の送信ビームパターンのうちの１つ）を示す。ＳＴＡ−２は、６ビットのインデックスに対応している、長さＬのウォルシュまたはゴレイシーケンスを選択する。ＳＴＡ−２は、trainingSequenceIDに等しいシードで、長さＬのシーケンスをスクランブルする。スクランブルシーケンス発生器は、ＩＥＥＥ８０２．１５．３ｃ仕様のセクション１２．２．２．１０にしたがうことができる。ＳＴＡ−２は、それぞれの送信ビームパターンに対して１回だけ、ＮT個の送信ビームパターンにわたって、このシーケンスをシリアルに送信する。ＳＴＡ−１が、ＳＴＳ−２からＳＴＡ−１への通信用の好ましい受信ビームパターン（すなわち、ＡR個の受信ビームパターンのうちの１つ）を知っていることから、ＳＴＡ−１は、その好ましい受信ビームパターンを使用して、シーケンスを受信する。この送信を、「シングルライトハウス」送信と呼ぶ。Ｌが２５６であると仮定すると、総送信時間は、おおよそ１０ｕｓ（０．６ｎｓ*２５６*６４）である。したがって、ステップ２３０の後に、ＳＴＡ−１は、ＳＴＳ−２からＳＴＡ−１への通信用の好ましい送信ビームパターンおよび受信ビームパターンと、ＳＴＡ−１からＳＴＡ−２への通信用の好ましい送信ビームパターンとを知る。
【００３２】
第４に、ＳＴＡ−１が、６ビットの送信ビームインデックスに対応しているシーケンスをＳＴＡ−２に送る（ステップ２４０）。インデックスは、ＳＴＳ−２からＳＴＡ−１への通信用の好ましい送信ビームパターン（すなわち、ＮT個の送信ビームパターンのうちの１つ）を示す。ＳＴＡ−１は、６ビットのインデックスに対応している、長さＬのウォルシュシーケンスまたはゴレイシーケンスを選択する。ＳＴＡ−１は、trainingSequenceIDに等しいシードで、長さＬのシーケンスをスクランブルする。スクランブルシーケンス発生器は、８０２．１５．３ｃ仕様のセクション１２．２．２．１０にしたがうことができる。ＳＴＡ−１は、ＳＴＡ−１からＳＴＡ−２への通信用の好ましい送信ビームパターン（すなわち、ＡT個の送信ビームパターンのうちの１つ）を通して、シーケンスを送信する。ＳＴＡ−２は、ＳＴＡ−１からＳＴＡ−２への通信用の好ましい受信ビームパターンを知っていることから、ＳＴＡ−２は、その好ましい受信ビームパターン（すなわち、ＮR個の受信ビームパターンのうちの１つ）を使用して、シーケンスを受信する。Ｌが２５６に等しいと仮定すると、総送信時間は、おおよそ１５０ｎｓ（０．６ｎｓ*２５６）である。
【００３３】
図３は、例示的な装置３００の機能性を図示している概念ブロック図である。装置３００は、ワイヤレスノードが第１の好ましいビームパターンを決定することを可能にする、ワイヤレスノードへの送信用の第１の信号を発生させるモジュール３０２と、ワイヤレスノードから受信した第２の信号から、第２の好ましいビームパターンを決定するモジュール３０４と、第１の好ましいビームパターンまたは第２の好ましいビームパターンのうちの少なくとも１つを通して、ワイヤレスノードと通信するモジュール３０６とを備えている。１つの構成では、装置３００は、処理システム１０４を備えており、処理システム１０４は、モジュール３０２−３０６のそれぞれの機能を実行するように構成している。１つの構成では、第１の好ましいビームパターンは、装置３００によってサポートされている好ましい送信ビームパターンと、ワイヤレスノードによってサポートされている好ましい受信ビームパターンとを含み；第２の好ましいビームパターンは、ワイヤレスノードによってサポートされている好ましい送信ビームパターンと、装置３００によってサポートされている好ましい受信ビームパターンとを含む。１つの構成では、装置３００は、ワイヤレスノードから第３の信号を受信するようにと、第４の信号をワイヤレスノードに送るように構成している。第３の信号は、第１の好ましいビームパターンに対応しており、装置によってサポートされている好ましい送信ビームパターンに対応していてもよい。第４の信号は、第２の好ましいビームパターンに対応しており、ワイヤレスノードによってサポートされている好ましい送信ビームパターンに対応していてもよい。別の構成では、装置３００は、第３の信号をワイヤレスノードに送るようにと、ワイヤレスノードから第４の信号を受信するように構成している。第３の信号は、第２の好ましいビームパターンに対応しており、ワイヤレスノードによってサポートされている好ましい送信ビームパターンに対応していてもよい。第４の信号は、第１の好ましいビームパターンに対応しており、装置によってサポートされている好ましい送信ビームパターンに対応していてもよい。
【００３４】
１つの構成では、装置３００は、ワイヤレスノードが第１の好ましいビームパターンを決定することを可能にする、ワイヤレスノードへの送信用の第１の信号を発生させる手段と；ワイヤレスノードから受信した第２の信号から、第２の好ましいビームパターンを決定する手段と；第１の好ましいビームパターンまたは第２の好ましいビームパターンのうちの少なくとも１つを通して、ワイヤレスノードと通信する手段とを備えている。前述した手段は、前述した手段の機能を実行するように構成している処理システム１０４である。
【００３５】
先の説明は、当業者が開示の全範囲を完全に理解できるように提供されている。ここで開示したさまざまな構成に対する改良は、当業者に容易に明らかになるであろう。したがって、特許請求の範囲は、ここで記述した開示のさまざまな態様に限定されることを意図しているものではなく、特許請求の範囲の文言と矛盾しない全範囲に一致させるべきである。要素への単数での参照は、単数であると特に述べられていない限り、「１つおよび１つのみ」を意味することを意図しているのではなく、むしろ「１つ以上の」を意味することを意図している。特に述べられていない限り、「いくつかの」という用語は、１つ以上のことを意味する。要素を組み合わせたもののうちの少なくとも１つ（例えば、「Ａ、Ｂ、またはＣのうちの少なくとも１つ」）を列挙している請求項は、列挙した要素のうちの１つ以上（例えば、Ａ、またはＢ、またはＣ、またはこれらのものを任意に組み合わせたもの）のことを意味する。当業者に知られ、または後に知られることになる本開示全体に記述されているさまざまな態様の要素のすべての構成的および機能的な均等物は、ここで参照により明確に組み込まれ、特許請求の範囲によって含まれることとを意図している。さらに、ここで開示したものが、特許請求の範囲中に明示的に列挙されているか否かにかかわらず、公共に捧げられることを意図していない。どの請求項の要素も、要素が「する手段」というフレーズを用いて明示的に列挙されない限り、または方法の請求項のケースでは、要素が「するステップ」というフレーズを用いて列挙されない限り、３５Ｕ．Ｓ．Ｃ．１１２条第６パラグラフの規定のもとで解釈されるべきではない。
以下に、本願出願の当初の特許請求の範囲に記載された発明を付記する。
［１］ワイヤレス通信のための装置において、
ワイヤレスノードが第１の好ましいビームパターンを決定することを可能にする、前記ワイヤレスノードへの送信用の第１の信号を発生させるようにと、
前記ワイヤレスノードから受信した第２の信号から、第２の好ましいビームパターンを決定するようにと、
前記第１の好ましいビームパターンまたは前記第２の好ましいビームパターンのうちの少なくとも１つを通して、前記ワイヤレスノードと通信するように構成されている処理システムを具備する装置。
［２］前記第１の好ましいビームパターンは、前記装置によってサポートされている好ましい送信ビームパターンと、前記ワイヤレスノードによってサポートされている好ましい受信ビームパターンとを含み、
前記第２の好ましいビームパターンは、前記ワイヤレスノードによってサポートされている好ましい送信ビームパターンと、前記装置によってサポートされている好ましい受信ビームパターンとを含む［１］記載の装置。
［３］前記処理システムは、前記ワイヤレスノードから、前記第１の好ましいビームパターンに対応する第３の信号を受信するようにさらに構成されている［２］記載の装置。
［４］前記処理システムは、前記ワイヤレスノードによって、異なる送信ビームパターンを通してシーケンシャルに送信された前記第３の信号を、前記装置によってサポートされている前記好ましい受信ビームパターンを通して受信するようにさらに構成されている［３］記載の装置。
［５］前記処理システムは、前記ワイヤレスノードによって、前記好ましい送信ビームを通して送信された前記第３の信号を、前記装置によってサポートされている前記好ましい受信ビームパターンを通して受信するようにさらに構成されている［３］記載の装置。
［６］前記第１の信号および第２の信号のそれぞれは、同じトレーニングシーケンスを含み、前記処理システムは、前記トレーニングシーケンスにより前記第３の信号をデコードするようにさらに構成されている［３］記載の装置。
［７］前記処理システムは、前記ワイヤレスノードへの送信用の、前記第２の好ましいビームパターンに対応する第３の信号を発生させるようにさらに構成されている［２］記載の装置。
［８］前記処理システムは、前記好ましい受信ビームパターンを通してのワイヤレスノード信号による受信のために、異なる送信ビームパターンを通しての前記第３の信号のシーケンシャルな送信をサポートするようにさらに構成されている［７］記載の装置。
［９］前記処理システムは、前記ワイヤレスノードによってサポートされている前記好ましい受信ビームパターンを通しての前記ワイヤレスノードによる受信のために、前記装置によってサポートされている前記好ましい送信ビームパターンを通しての前記第３の信号の送信をサポートするようにさらに構成されている［７］記載の装置。
［１０］前記第１の信号および第２の信号のそれぞれは、同じトレーニングシーケンスを含み、前記処理システムは、トレーニングシーケンスにより、前記第２の好ましいビームパターンに対応しているシーケンスをエンコードすることによって、前記第３の信号を発生させるようにさらに構成されている［７］記載の装置。
［１１］前記処理システムは、異なる送信ビームパターンのそれぞれを通して１回以上、前記異なる送信ビームパターンを通しての前記第１の信号のシーケンシャルな送信をサポートするように構成されている［１］記載の装置。
［１２］前記処理システムは、
ＡT個の異なる送信ビームパターンをサポートするようにと、
前記ＡT個の異なる送信ビームパターンのそれぞれを通してＮR回、前記ＡT個の異なる送信ビームパターンを通しての前記第１の信号のシーケンシャルな送信をサポートするようにさらに構成され、
ＮRは、前記ワイヤレスノードによってサポートされている異なる受信ビームパターンの数である［１］記載の装置。
［１３］前記処理システムは、
ＡR個の異なる受信ビームパターンをサポートするようにと、
前記ＡR個の異なる受信ビームパターンのそれぞれを通してＮT回、前記ＡR個の異なる受信ビームパターンを通して前記第２の信号をシーケンシャルに受信するようにさらに構成され、
ＮTは、前記ワイヤレスノードによってサポートされている異なる送信ビームパターンの数である［１］記載の装置。
［１４］前記処理システムは、前記送信用の第１の信号の発生と、前記ワイヤレスノードからの前記第２の信号の受信とを含むトレーニングを実行するようにさらに構成され、前記処理システムは、１つ以上の他のペアのワイヤレスノードがトレーニングを実行するのと同時に、前記ワイヤレスノードと前記トレーニングを実行するようにさらに構成されている［１］記載の装置。
［１５］前記トレーニングは、別のワイヤレスノードによって割り当てられたサービス期間の間に実行される［１４］記載の装置。
［１６］前記トレーニングは、１組のコードシーケンスから選択されたコードシーケンスを使用して実行され、前記１組のコードシーケンスはまた、トレーニングを実行する前記１つ以上の他のペアによって使用される［１４］記載の装置。
［１７］前記コードシーケンスは、ウォルシュシーケンスまたはゴレイシーケンスを含む［１６］記載の装置。
［１８］前記トレーニングは、別のワイヤレスノードによって割り当てられたコードシーケンスを使用して実行され、前記コードシーケンスは、トレーニングを実行する前記１つ以上の他のペアによって使用されない［１４］記載の装置。
［１９］前記コードシーケンスは、ウォルシュシーケンスまたはゴレイシーケンスを含む［１８］記載の装置。
［２０］前記処理システムは、時間、周波数、またはコードの次元のうちの少なくとも１つにわたって、前記トレーニングを実行するようにさらに構成されている［１４］記載の装置。
［２１］前記第１の信号はウォルシュシーケンスまたはゴレイシーケンスを含み、前記第２の信号はウォルシュシーケンスまたはゴレイシーケンスを含む［１］記載の装置。
［２２］ワイヤレス通信のための方法において、
ワイヤレスノードが第１の好ましいビームパターンを決定することを可能にする、前記ワイヤレスノードへの送信用の第１の信号を発生させることと、
前記ワイヤレスノードから受信した第２の信号から、第２の好ましいビームパターンを決定することと、
前記第１の好ましいビームパターンまたは前記第２の好ましいビームパターンのうちの少なくとも１つを通して、前記ワイヤレスノードと通信することとを含む方法。
［２３］前記第１の好ましいビームパターンは、装置によってサポートされている好ましい送信ビームパターンと、前記ワイヤレスノードによってサポートされている好ましい受信ビームパターンとを含み、
前記第２の好ましいビームパターンは、前記ワイヤレスノードによってサポートされている好ましい送信ビームパターンと、前記装置によってサポートされている好ましい受信ビームパターンとを含む［２２］記載の方法。
［２４］前記ワイヤレスノードから、前記第１の好ましいビームパターンに対応する第３の信号を受信することをさらに含む［２３］記載の方法。
［２５］前記ワイヤレスノードによって、異なる送信ビームパターンを通してシーケンシャルに送信された前記第３の信号を受信することは、前記装置によってサポートされている前記好ましい受信ビームパターンを通してのものである［２４］記載の方法。
［２６］前記ワイヤレスノードによって、前記好ましい送信ビームを通して送信された前記第３の信号を受信することは、前記装置によってサポートされている前記好ましい受信ビームパターンを通してのものである［２４］記載の方法。
［２７］前記第１の信号および第２の信号のそれぞれは、同じトレーニングシーケンスを含み、前記方法は、前記トレーニングシーケンスにより前記第３の信号をデコードすることをさらに含む［２４］記載の方法。
［２８］前記ワイヤレスノードへの送信用の、前記第２の好ましいビームパターンに対応する第３の信号を発生させることをさらに含む［２３］記載の方法。
［２９］前記好ましい受信ビームパターンを通してのワイヤレスノード信号による受信のために、異なる送信ビームパターンを通しての前記第３の信号のシーケンシャルな送信をサポートすることをさらに含む［２８］記載の方法。
［３０］前記ワイヤレスノードによってサポートされている前記好ましい受信ビームパターンを通しての前記ワイヤレスノードによる受信のために、前記装置によってサポートされている前記好ましい送信ビームパターンを通しての前記第３の信号の送信をサポートすることをさらに含む［２８］記載の方法。
［３１］前記第１の信号および第２の信号のそれぞれは、同じトレーニングシーケンスを含み、前記第３の信号は、トレーニングシーケンスにより、前記第２の好ましいビームパターンに対応しているシーケンスをエンコードすることによって発生される［２８］記載の方法。
［３２］異なる送信ビームパターンのそれぞれを通して１回以上、前記異なる送信ビームパターンを通しての前記第１の信号のシーケンシャルな送信をサポートすることをさらに含む［２２］記載の方法。
［３３］ＡT個の異なる送信ビームパターンをサポートすることと、
前記ＡT個の異なる送信ビームパターンのそれぞれを通してＮR回、前記ＡT個の異なる送信ビームパターンを通しての前記第１の信号のシーケンシャルな送信をサポートすることとをさらに含み、
ＮRは、前記ワイヤレスノードによってサポートされている異なる受信ビームパターンの数である［２２］記載の方法。
［３４］ＡR個の異なる受信ビームパターンをサポートすることと、
前記ＡR個の異なる受信ビームパターンのそれぞれを通してＮT回、前記ＡR個の異なる受信ビームパターンを通して前記第２の信号をシーケンシャルに受信することとをさらに含み、
ＮTは、前記ワイヤレスノードによってサポートされている異なる送信ビームパターンの数である［２２］記載の方法。
［３５］前記送信用の第１の信号の発生と、前記ワイヤレスノードからの前記第２の信号の受信とを含むトレーニングをすることをさらに含み、前記トレーニングは、１つ以上の他のペアのワイヤレスノードがトレーニングを実行するのと同時に実行される［２２］記載の方法。
［３６］前記トレーニングは、別のワイヤレスノードによって割り当てられたサービス期間の間に実行される［３５］記載の方法。
［３７］前記トレーニングは、１組のコードシーケンスから選択されたコードシーケンスを使用して実行され、前記１組のコードシーケンスはまた、トレーニングを実行する前記１つ以上の他のペアによって使用される［３５］記載の方法。
［３８］前記コードシーケンスは、ウォルシュシーケンスまたはゴレイシーケンスを含む［３７］記載の方法。
［３９］前記トレーニングは、別のワイヤレスノードによって割り当てられたコードシーケンスを使用して実行され、前記コードシーケンスは、トレーニングを実行する前記１つ以上の他のペアによって使用されない［３５］記載の方法。
［４０］前記コードシーケンスは、ウォルシュシーケンスまたはゴレイシーケンスを含む［３９］記載の方法。
［４１］前記トレーニングは、時間、周波数、またはコードの次元のうちの少なくとも１つにわたって実行される［３５］記載の方法。
［４２］前記第１の信号はウォルシュシーケンスまたはゴレイシーケンスを含み、前記第２の信号はウォルシュシーケンスまたはゴレイシーケンスを含む［２２］記載の方法。
［４３］ワイヤレス通信のための装置において、
ワイヤレスノードが第１の好ましいビームパターンを決定することを可能にする、前記ワイヤレスノードへの送信用の第１の信号を発生させる手段と、
前記ワイヤレスノードから受信した第２の信号から、第２の好ましいビームパターンを決定する手段と、
前記第１の好ましいビームパターンまたは前記第２の好ましいビームパターンのうちの少なくとも１つを通して、前記ワイヤレスノードと通信する手段とを具備する装置。
［４４］前記第１の好ましいビームパターンは、装置によってサポートされている好ましい送信ビームパターンと、前記ワイヤレスノードによってサポートされている好ましい受信ビームパターンとを含み、
前記第２の好ましいビームパターンは、前記ワイヤレスノードによってサポートされている好ましい送信ビームパターンと、前記装置によってサポートされている好ましい受信ビームパターンとを含む［４３］記載の装置。
［４５］前記ワイヤレスノードから、前記第１の好ましいビームパターンに対応する第３の信号を受信する手段をさらに具備する［４４］記載の装置。
［４６］前記受信する手段は、前記ワイヤレスノードによって、異なる送信ビームパターンを通してシーケンシャルに送信された前記第３の信号を、前記装置によってサポートされている前記好ましい受信ビームパターンを通して受信する［４５］記載の装置。
［４７］前記受信する手段は、前記ワイヤレスノードによって、前記好ましい送信ビームを通して送信された前記第３の信号を、前記装置によってサポートされている前記好ましい受信ビームパターンを通して受信する［４５］記載の装置。
［４８］前記第１の信号および第２の信号のそれぞれは、同じトレーニングシーケンスを含み、前記装置は、前記トレーニングシーケンスにより前記第３の信号をデコードする手段をさらに具備する［４５］記載の装置。
［４９］前記ワイヤレスノードへの送信用の、前記第２の好ましいビームパターンに対応する第３の信号を発生させる手段をさらに具備する［４４］記載の装置。
［５０］前記好ましい受信ビームパターンを通してのワイヤレスノード信号による受信のために、異なる送信ビームパターンを通しての前記第３の信号のシーケンシャルな送信をサポートする手段をさらに具備する［４９］記載の装置。
［５１］前記ワイヤレスノードによってサポートされている前記好ましい受信ビームパターンを通しての前記ワイヤレスノードによる受信のために、前記装置によってサポートされている前記好ましい送信ビームパターンを通しての前記第３の信号の送信をサポートする手段をさらに具備する［４９］記載の装置。
［５２］前記第１の信号および第２の信号のそれぞれは、同じトレーニングシーケンスを含み、前記第３の信号は、トレーニングシーケンスにより、前記第２の好ましいビームパターンに対応しているシーケンスをエンコードすることによって発生される［４９］記載の装置。
［５３］異なる送信ビームパターンのそれぞれを通して１回以上、前記異なる送信ビームパターンを通しての前記第１の信号のシーケンシャルな送信をサポートする手段をさらに具備する［４３］記載の装置。
［５４］ＡT個の異なる送信ビームパターンをサポートする手段と、
前記ＡT個の異なる送信ビームパターンのそれぞれを通してＮR回、前記ＡT個の異なる送信ビームパターンを通しての前記第１の信号のシーケンシャルな送信をサポートする手段とをさらに具備し、
ＮRは、前記ワイヤレスノードによってサポートされている異なる受信ビームパターンの数である［４３］記載の装置。
［５５］ＡR個の異なる受信ビームパターンをサポートする手段と、
前記ＡR個の異なる受信ビームパターンのそれぞれを通してＮT回、前記ＡR個の異なる受信ビームパターンを通して前記第２の信号をシーケンシャルに受信する手段とをさらに具備し、
ＮTは、前記ワイヤレスノードによってサポートされている異なる送信ビームパターンの数である［４３］記載の装置。
［５６］前記送信用の第１の信号の発生と、前記ワイヤレスノードからの前記第２の信号の受信とを含むトレーニングを実行する手段をさらに具備し、前記トレーニングは、１つ以上の他のペアのワイヤレスノードがトレーニングを実行するのと同時に実行される［４３］記載の装置。
［５７］前記トレーニングは、別のワイヤレスノードによって割り当てられたサービス期間の間に実行される［５６］記載の装置。
［５８］前記トレーニングは、１組のコードシーケンスから選択されたコードシーケンスを使用して実行され、前記１組のコードシーケンスはまた、トレーニングを実行する前記１つ以上の他のペアによって使用される［５６］記載の装置。
［５９］前記コードシーケンスは、ウォルシュシーケンスまたはゴレイシーケンスを含む［５８］記載の装置。
［６０］前記トレーニングは、別のワイヤレスノードによって割り当てられたコードシーケンスを使用して実行され、前記コードシーケンスは、トレーニングを実行する前記１つ以上の他のペアによって使用されない［５６］記載の装置。
［６１］前記コードシーケンスは、ウォルシュシーケンスまたはゴレイシーケンスを含む［６０］記載の装置。
［６２］前記トレーニングは、時間、周波数、またはコードの次元のうちの少なくとも１つにわたって実行される［５６］記載の装置。
［６３］前記第１の信号はウォルシュシーケンスまたはゴレイシーケンスを含み、前記第２の信号はウォルシュシーケンスまたはゴレイシーケンスを含む［４３］記載の装置。
［６４］通信のためのコンピュータプログラムプロダクトにおいて、
ワイヤレスノードが第１の好ましいビームパターンを決定することを可能にする、前記ワイヤレスノードへの送信用の第１の信号を発生させるための実行可能な命令と、
前記ワイヤレスノードから受信した第２の信号から、第２の好ましいビームパターンを決定するための実行可能な命令と、
前記第１の好ましいビームパターンまたは前記第２の好ましいビームパターンのうちの少なくとも１つを通して、前記ワイヤレスノードと通信するための実行可能な命令とを含む機械読み取り可能媒体を具備するコンピュータプログラムプロダクト。
［６５］ワイヤレス通信のための局において、
ワイヤレスノードが第１の好ましいビームパターンを決定することを可能にする、前記ワイヤレスノードへの送信用の第１の信号を発生させるようにと、
前記ワイヤレスノードから受信した第２の信号から、第２の好ましいビームパターンを決定するようにと、
前記第１の好ましいビームパターンまたは前記第２の好ましいビームパターンのうちの少なくとも１つを通して、前記ワイヤレスノードと通信するように構成されている処理システムと、
前記第１の好ましいビームパターンと前記第２の好ましいビームパターンとをサポートするように構成されている１つ以上のアンテナを有するワイヤレスインターフェースとを具備する局。
【図１】
0005563076.tif 000002
【図２】
0005563076.tif 000003
【図３】
0005563076.tif 000004